(57)【要約】【課題】骨を穿刺し、髄腔の髄液の吸引を容易に行うことができる医療用の二重刺針セットを提供する。【解決手段】先端に形成された刃先部１３を備えた筒状の外針１１と、その外針の内部に収納される中実の内針１２と、前記外針の基端に固定される針基１５と、前記内針の基端に固定されるキャップ２３とからなる医療用の二重刺針１０。針基１５が、外針の基端と係合する外針係合部１６と、回転具によって保持される保持部１８と、吸引器具と連結する吸引部１７と、外周に形成された雄ネジ１９を備えている。キャップ２３が、内針の基端と係合する内針係合部２８と、雄ネジ１９と螺合する雌ネジ２９を備えている。【選択図】図２
2008228861.tif 000002
【特許請求の範囲】
【請求項１】
先端に刃先部を備えた筒状の外針と、その外針の内部に収納される中実の内針と、前記外針の基端に固定される針基と、前記内針の基端に固定されるキャップとからなり、
前記針基が、外針の基端と係合する外針係合部と、回転具によって保持される保持部と、吸引器具と連結する吸引部とを備えており、
前記キャップが、内針の基端と係合する内針係合部を備えており、
前記針基とキャップとを着脱自在に連結固定する手段を備えている、医療用の二重刺針。
【請求項２】
前記保持部が対面５〜１２ｍｍの六角形断面である、請求項１記載の医療用の二重刺針。
【請求項３】
前記保持部が外径５〜１０ｍｍの円形断面である、請求項1記載の医療用の二重刺針。
【請求項４】
前記保持部がトルク伝達機構を有している、請求項１記載の医療用の二重刺針。
【請求項５】
請求項１〜４いずれか記載の医療用の二重刺針と、その二重刺針の保持部を保持する回転具とからなる医療用ドリルキット。
【請求項６】
前記回転具が医療用ドリルである、請求項５記載の医療用ドリルキット。
【請求項７】
円筒状のドリルボディの軸と、その軸の端部に取り外し自在に連結されるチャックと、そのチャックと軸とを連結する連結具とを備えた医療用ドリルであって、
前記軸が、チャックを支持するチャック受け部と、連結具と連結する連結部とを備え、
前記チャックが、内部にドリルを保持する円筒状のチャック本体と、そのチャック本体の外周に螺合されるナットとからなり、
前記チャック本体が、一方の端部に形成され、前記チャック受け部と嵌合する軸係合部と、他方の端部に設けられた軸方向に延びる溝を備えたテーパー状のドリル固定部と、内面に形成された前記連結具を係止する係止部とを備えており、
前記ナットの内周が、ドリル固定部の外周と縮径可能に当接する当接面を有し、
前記連結具を、チャック本体の他方の端部より挿入して一方の端部より突出させ、ドリルボディの軸の連結部と連結させることによって軸とチャックとを連結させる、医療用ドリル。
【請求項８】
前記連結具が頭部を有する雄ネジであり、
前記連結部が円筒状に形成された軸の内周に形成された雌ネジ部であり、
前記係止部は雄ネジの頭部を係止する段部であり、
前記雄ネジを、チャック本体の他方の端部より挿入して一方の端部よりネジ先を突出させ、ドリルボディの軸の雌ネジ部と螺合させることによって軸とチャックとを連結させる、請求項７記載の医療用ドリル。
【請求項９】
前記チャック本体が、その外周に形成された環状のフランジ部を備えている請求項７記載の医療用ドリル。
【請求項１０】
前記固定部のスリットが、六角形状に配置されている請求項７記載の医療用ドリル。
【請求項１１】
全体を覆って保護する防汚カバーを有し、前記防汚カバーが、チャックを外部に露出させるチャック穴を備えた、請求項７記載の医療用ドリル。
【請求項１２】
前記防汚カバーが、可撓性を有する中空状の袋本体からなり、
前記袋本体は、医療用ドリルを挿入する開閉可能な挿入口と、袋本体の上部に設けられるチャック穴とからなる、請求項１１記載の医療用ドリル。
【請求項１３】
前記チャック穴の縁にリングが取り付けられている、請求項１２記載の医療用ドリル。
【請求項１４】
前記ドリルボディに略直交するように取り付けられた把持部を有し、
前記防汚カバーの袋本体が、前記ドリルボディを収容する第１袋体と、前記把持部を収容する第２袋体とからなり、第１袋体と第２袋体とを連結する連結手段を備えた、請求項１１記載の医療用ドリル。
【発明の詳細な説明】
【技術分野】
【０００１】
本発明は医療用の二重刺針、それを用いる医療用ドリル、および、それらを用いた医療用ドリルキットに関する。
【背景技術】
【０００２】
【特許文献１】特開２００３−１１６８６２号公報
【０００３】
一般的に骨髄採取の方法としては、腸骨や胸骨に骨髄吸引用の穿刺針を使って骨髄腔に向かって硬い骨皮質から穿刺針のハンドルをにぎり、手術者の体重をかけながら手をねじり針を穿刺する。また、硬い骨皮質に針を穿刺して、カテーテルなどを挿入して行う方法もある。双方とも、中空の外針とその内部に着脱自在に挿入される内針とを組み合わせた二重刺針が用いられる。つまり前者の場合、二重刺針を骨皮質から骨髄腔まで貫通させ、ついで内針を抜き取り、外針を使って骨髄を吸引するが、後者の場合、外針内にガイドワイヤや検査用の探索管などを通し、そのガイドワイヤ等を用いてカテーテルを骨髄腔に案内して吸引する。また、内針を用いずに、外針だけを骨穿刺針として使用することもある。
【０００４】
特許文献１には、保持体を有する内針と、その内針を挿入する外針とからなり、内針と外針を一体に連結させる骨髄針が開示されている。この骨髄針は、その内針に設けられた保持体と電動ドリル等の回転具とを連結させて内針と外針を一体にして回転させ骨を穿刺する。また、骨髄の採取は、骨髄針を二箇所穿刺し、それぞれ内針を取り除き、一方の外針に注射用のシリンジを取り付け、他方の外針に吸引用チューブを取り付けて、髄腔内を洗い流すようにして骨髄を採取する方法が開示されている。
【発明の開示】
【発明が解決しようとする課題】
【０００５】
本発明は、骨を穿刺し、髄腔の髄液の吸引を容易に行うことができる医療用の二重刺針、それに用いる医療用ドリルおよびそれらを用いた医療用ドリルキットを提供することを目的としている。
【課題を解決するための手段】
【０００６】
本発明の医療用の二重刺針は、先端に刃先部を備えた筒状の外針と、その外針の内部に収納される中実の内針と、前記外針の基端に固定される針基と、前記内針の基端に固定されるキャップとからなり、前記針基が、外針の基端と係合する外針係合部と、回転具によって保持される保持部と、吸引器具と連結する吸引部とを備えており、前記キャップが、内針の基端と係合する内針係合部を備えており、前記針基とキャップとを着脱自在に連結固定する手段を備えていることを特徴としている。
【０００７】
このような二重刺針であって、前記保持部が対面５〜１２ｍｍの六角形断面である、前記保持部が外径５〜１０ｍｍの円形断面である、あるいは、前記保持部がトルク伝達機構を有しているものが好ましい。
【０００８】
本発明の医療用ドリルキットは、本発明の二重刺針と、その二重刺針の保持部を保持する回転具とからなることを特徴としている。また、このようなドリルキットであって、回転具が医療用ドリルであるものが好ましい。
【０００９】
本発明の医療用ドリルは、円筒状のドリルボディの軸と、その軸の端部に取り外し自在に連結されるチャックと、そのチャックと軸とを連結する連結具とを備えた医療用ドリルであって、前記軸が、チャックを支持するチャック受け部と、連結具と連結する連結部とを備え、前記チャックが、内部にドリルを保持する円筒状のチャック本体と、そのチャック本体の外周に螺合されるナットとからなり、前記チャック本体が、一方の端部に形成され、前記チャック受け部と嵌合する軸係合部と、他方の端部に設けられた軸方向に延びる溝を備えたテーパー状のドリル固定部と、内面に形成された前記連結具を係止する係止部とを備えており、前記ナットの内周が、ドリル固定部の外周と縮径可能に当接する当接面を有し、前記連結具を、チャック本体の他方の端部より挿入して一方の端部より突出させ、ドリルボディの軸の連結部と連結させることによって軸とチャックとを連結させることを特徴としている。
【００１０】
このような医療用ドリルであって、前記連結具が頭部を有する雄ネジであり、前記連結部が円筒状に形成された軸の内周に形成された雌ネジ部であり、前記係止部は雄ネジの頭部を係止する段部であり、前記雄ネジを、チャック本体の他方の端部より挿入して一方の端部よりネジ先を突出させ、ドリルボディの軸の雌ネジ部と螺合させることによって軸とチャックとを連結させるものが好ましい。また、前記チャック本体が、その外周に形成された環状のフランジ部を備えていてもよい。さらに、前記固定部のスリットが、六角形状に配置されていてもよい。
【００１１】
本発明の医療用ドリルであって、全体を覆って保護する防汚カバーを有し、前記防汚カバーが、チャックを外部に露出させるチャック穴を備えたものが好ましい。また前記防汚カバーが、可撓性を有する中空状の袋本体からなり、前記袋本体は、医療用ドリルを挿入する開閉可能な挿入口と、袋本体の上部に設けられるチャック穴とからなるものが好ましい。さらに、前記チャック穴の縁にリングが取り付けられていてもよい。
また、防汚カバーを有した医療用ドリルであって、ドリルボディに略直交するように取り付けられた把持部を有し、防汚カバーの袋本体が、前記ドリルボディを収容する第１袋体と、前記把持部を収容する第２袋体とからなり、第１袋体と第２袋体とを連結する連結手段を備えていてもよい。
【発明の効果】
【００１２】
本発明の医療用の二重刺針は、先端に形成された刃先部を備えた筒状の外針と、その外針の内部に収納される中実の内針と、その外針の基端に固定される針基と、その内針の基端に固定されるキャップとからなり、前記針基が、外針の基端と係合する外針係合部と、回転具によって保持される保持部と、吸引器具と連結する吸引部とを備えており、前記キャップが、内針の基端と係合する内針係合部を備えており、前記針基とキャップとを着脱自在に連結固定する手段を備えているため、連結した外針と内針とを外針の保持部を保持して回転具を使って回転させることにより、簡単に骨を穿刺することができる。また、穿刺した後、内針を取り除き、外針に吸引器具を連結することにより髄液等の採取ができるため、その操作が簡単である。
【００１３】
このような二重刺針であって、前記保持部が対面５〜１２ｍｍの六角形断面である、前記保持部が外径５〜１０ｍｍの円形断面である、あるいは、前記保持部がトルク伝達機構を有している場合、二重刺針を回転具で保持しやすい。
【００１４】
本発明のドリルキットは、上述した本発明の医療用の二重刺針と、その二重刺針の保持部を保持する回転具とからなるため、骨の穿刺、および、その後の髄液の採取の操作が容易である。
【００１５】
本発明のドリルは、円筒状のドリルボディの軸と、その軸の端部に取り外し自在に連結されるチャックと、そのチャックと軸とを連結する連結具とを備えた医療用ドリルであって、前記軸が、チャックを支持するチャック受け部と、連結具と連結する連結部とを備え、前記チャックが、内部にドリルを保持する円筒状のチャック本体と、そのチャック本体の外周に螺合されるナットとからなり、前記チャック本体が、一方の端部に形成され、前記チャック受け部と嵌合する軸係合部と、他方の端部に設けられた軸方向に延びる溝を備えたテーパー状のドリル固定部と、内面に形成された前記連結具を係止する係止部とを備えており、前記ナットの内周が、ドリル固定部の外周と縮径可能に当接する当接面を有し、前記連結具を、チャック本体の他方の端部より挿入して一方の端部より突出させ、ドリルボディの軸の連結部と連結させることによって軸とチャックとを連結させるため、従来のドリルと同様の性能を有すると共に、連結具を操作することによってチャックを容易に着脱できる。そのため、ドリル使用毎のチャックの洗浄、滅菌が容易にできる。
【００１６】
また、このようなドリルであって、チャック本体が、その外周に形成された環状のフランジ部を備えている場合、使用者はチャックを把持しやすい。さらに、固定部のスリットが、六角形状に配置されている場合、ドリルに取り付ける穿刺針の固定がしっかりできる。
【００１７】
本発明のドリルであって、全体を覆って保護する防汚カバーを有し、前記防汚カバーが、チャックを外部に露出させるチャック穴を備えている場合、チャックのみを外部に露出した状態でドリルを使用できる。そのため、チャックおよび防汚カバーを洗浄、滅菌するだけで、ドリルの洗浄、滅菌ができる。
このような防汚カバーを有するドリルであって、防汚カバーが、可撓性を有する中空状の袋本体からなり、袋本体は、医療用ドリルを挿入する開閉可能な挿入口と、袋本体の上部に設けられるチャック穴とからなる場合、ドリルを一層密閉でき、ドリル全体の洗浄が容易である。また、防汚カバーを取り替えることにより、チャックの洗浄、滅菌のみでドリルの再使用ができる。また、前記チャック穴の縁にリングが取り付けられている場合、ドリルの取り出しによってチャック穴が破れたりするおそれが小さい。
【００１８】
本発明のドリルであって、前記ドリルボディに略直交するように取り付けられた把持部を有し、前記防汚カバーの袋本体が、前記ドリルボディを収容する第１袋体と、前記把持部を収容する第２袋体とからなり、第１袋体と第２袋体とを連結する連結手段を備えている場合、ドリルボディの保護が確実にできる。
【発明を実施するための最良の形態】
【００１９】
本発明の二重刺針を図面を用いて説明する。図１ａは、本発明の二重刺針の一実施形態を示す側面図、図１ｂは、その外針を示す側面図、図１ｃはその内針を示す側面図；図２ａは、図１ａの二重刺針の基端を示す断面側面図、図２ｂは、図１ｂの外針の基端を示す断面側面図、図２ｃは、図１ｃの内針の基端を示す断面側面図、図２ｄ、ｅ、ｆ、ｇは、本発明の二重刺針の保持部の形状を示す正面図；図３ａは、図１ａの二重刺針を電動ドリルに取り付けた状態の一部を示す側面図、図３ｂは、図１ｂの外針をシリンジに取り付けた状態の一部を示す側面図；図４ａは、図３ａの状態にアジャスターを取り付けた場合を示す一部断面側面図、図４ｂ、ｃ、ｄはそれぞれアジャスターの部品を示す断面図；図５は、本発明のドリルの一実施形態を示す側面図；図６ａは、図５のドリル先端部分を示す分解図、図６ｂは、図５のドリル先端部分を示す側面断面図；図７ａは、本発明のドリルに用いられる防汚カバーの一実施形態を示す側面図、図７ｂは、そのチャック穴を示す部分側面図、図７ｃ、図７ｄは、防汚カバーを設けた本発明のドリルの他の実施形態を示す側面図；図８は、本発明のドリルに用いられる防汚カバーの他の実施形態を示す側面図である。
【００２０】
図１ａに示す二重刺針１０は、筒状の外針１１と、その外針の内部に収納される中実の内針１２とからなる。
【００２１】
外針１１は、図１ｂに示すように、先端に傾斜面からなる刃先部１３を備えた筒状の外針本体１４と、その外針本体の基端を挿入するようにして連結される筒状の針基１５とからなる。外針本体１４は、人間あるいは動物の骨に刺して孔をあけるものであるため、ステンレススチール、ニチノール、あるいは、チタン、チタン合金、コバルト合金、クロム合金等の強度を備えた金属製のものが好ましい。しかし、その材料は、強度が骨を刺針できる程度であれば特に限定されるものではない。
【００２２】
針基１５は、図２ｂに示すように、その内周に外針本体１４の基端と係合する外針係合部１６と、後述するシリンジ等の吸引器の先端と係合する基端に向かって拡径しているテーパー状の吸引部１７とが形成されている。また、針基１５の外周には、後述する回転具により保持される六角形状の保持部１８と、基端側に形成された後述する内針１２と連結する雄ネジ１９とが設けられている。この実施形態では、雄ネジ１９は二条ネジとなっている。ここで保持部１８は、対面５ｍｍ〜１２ｍｍの六角柱であり、好ましくは、８ｍｍ〜１０ｍｍの六角柱である。対面が５ｍｍより小さい場合は、その成形、特にテーパー状の吸引部１７の成形が困難となり、１２ｍｍより大きい場合は、重くなり使いづらい。
【００２３】
このような針基１５は、ステンレススチール、ニチノール、チタン、チタン合金、コバルト合金、クロム合金等の強度を備えた金属によって形成される。そのため、強い力で保持部１８を保持しても針基１５が変形しない。しかし、合成樹脂等で作成してもよく、その材料は、使用により変形しないものであれば、特に限定されるものではない。
【００２４】
また、図２ｄに示すように保持部１８は、六角形状であるが、保持部１８ａのように四角形状（図２ｅ参照）等の多角形状、あるいは、キー構造からなるトルク伝達機構を有することが好ましい。キー構造としては、例えば、外径が６ｍｍ〜１２ｍｍの円形であり、扇状に切り欠かれた保持部１８ｂ（図２ｆ参照）、さらに、外径６〜１２の円形であり、スリットが形成された保持部１８ｃ（図２ｇ参照）が挙げられる。
しかし、保持部は、トルク伝達機構を有しない円柱であってもよい。この場合、外径が５ｍｍ〜１０ｍｍ、特に８ｍｍ〜１０ｍｍであるものが好ましい。外径が５ｍｍより小さい場合、吸引部の形成が困難となり、１０ｍｍより大きいと重くなり使いづらい。
【００２５】
また、外針本体１４と針基１５とは、はんだ、あるいは、糊等によって固定されており、回転具等によって保持部１８を保持して針基１５を回転させることにより外針本体１４も一体となって回転する。
【００２６】
内針１２は、図１ｃに示すように、先端に傾斜面からなる刃先部２１を備えた内針本体２２と、その内針本体の基端を挿入して連結される有底筒状のキャップ２３とからなる。内針本体２２も外針本体１４と同様に強度を有する材料から成形される。
【００２７】
キャップ２３は、図２ｃに示すように、底部２４を有する内筒２５と、その内筒の外周に設けられる外筒２６とからなり、外筒の底部２７と内筒の外周とが連結している。そして、キャップ２３には、内筒の底部２４において内針本体２２の基端を受けて、基端付近を係合する内針係合部２８が形成されている。また、外筒２６の内面には、針基１５の雄ネジ１９と嵌合する雌ネジ２９が形成されている。この実施形態の雌ネジ２９も、上述した雄ネジ１９と同様に二条ネジとなっている。また、キャップ２３の外周には、キャップ２３の取り扱いを容易にするための羽根３０が設けられている。このようなキャップ２３は、合成樹脂等によって成形される。また、この内針本体２２とキャップ２３は糊等によって一体に連結されている。
【００２８】
この二重刺針１０は、図１ａおよび図２ａに示すように、外針１１に内針１２を挿入し、針基１５の雄ネジ１９およびキャップ２３の雌ネジ２９をネジ嵌合させることにより連結し、一体化させる。
そして、このように一体化させた二重刺針１０は、図３ａに示すように医療用の電動ドリル３１等の回転具に連結させて医療用ドリルキットとして用いる。この二重刺針１０の保持部１８に、電動ドリルのチャック３２を連結させる。チャック３２は、従来公知のものであり、六角形状の保持部１８を覆うようにして保持するものである。また、レンチ等により保持部１８を保持し、人の力で回転させてもよい。
これにより、二重刺針１０の外針１１を回転させて、二重刺針１０の先端が目的としている骨の髄腔に届くように穿孔する。このとき、内針１２は外針１１と一体化されているため、一体に回転し、内針の刃先部２１によって孔は形成される。
【００２９】
二重刺針１０の先端が髄腔に到着したら、外針の保持部１８から電動ドリル３１（チャック３２）を取り外し、さらに、内針１２を取り外す。このとき、外針１１と内針１２とはネジ嵌合しているため、簡単に取り外すことができる。
次に、図３ｂに示すように、シリンジ３４の先端３５を外針の針基１５に挿入する。このとき、針基１５の吸引部１７の内面はテーパー状に形成されているため、シリンジ３４を外針１１方向に強く押し付けることにより、シリンジ３４と外針１１とを密閉して連結することができる。この状態でシリンジ３４のピストン３６を引くことにより、髄腔の髄液を吸引し、シリンダー３７内に抽出することができる。
【００３０】
このように二重刺針１０は、外針が内針との連結手段を備えているため、外針と内針とを一体にして骨の穿孔を行うことができ、手間がかからない。また従来、穿孔した後の髄液の吸引は、カテーテルを外針に這わせて挿入し、カテーテルを介して行っていたが、外針がシリンジ（吸引器）との連結手段を備えているため、外針をカテーテルの代わりに使用でき、髄液の抽出操作が容易にできる。
【００３１】
また、二重刺針１０を用いて骨の穿孔を行う際に、図４ａに示すようなアジャスター３９を用いてもよい。
アジャスター３９は、図４ｂ〜ｄに示すように、外周に雄ネジが形成された雄部３９ａと、内周に雌ネジが形成された雌部３９ｂと、雄部３９ａと雌部３９ｂの螺合位置を固定するためのロックナット３９ｃとからなり、二重刺針１０を挿入し、二重刺針の針基１５の先端に配置するものである。つまり、二重刺針１０の骨への挿入する長さを調整するものである。これにより、穿孔するときに、二重刺針１０の先端が髄腔を跨いで反対側の骨に届かないようにする。
【００３２】
このアジャスター３９は、雄部３９ａと雌部３９ｂを螺合させ、適切な位置で、ロックナット３９ｃで固定する。また、雄部３９ａの挿入を浅くすることによりアジャスターの長さを長くすることができ、挿入を深くすることによりアジャスターの長さを短くすることができる。そして、穿孔する骨の髄腔の大きさに応じて、二重刺針を穿孔する長さを計算し、その長さの針だけがアジャスター３９から突出するようにして電動ドリルに装着する。これにより、骨を穿孔するときに二重刺針１０をどれだけ深く挿入したらよいか考えずに穿孔することができ、穿孔による事故等を防止することができる。
【００３３】
図５、図６に示す医療用ドリル４０は、ドリルボディ４１と、そのドリルボディに着脱自在に連結されるチャック４２と、そのドリルボディとチャックとを連結する雄ねじ４３とからなる。雄ねじ４３は、頭部４３ａと胴部４３ｂとを有する従来公知のものである。また、図５、図６では、左側を先端という。
【００３４】
図６ａに示すように、ドリルボディ４１は、チャックと連結する円筒状の先端４１ａに円筒状の軸４４が挿入されている。また、軸４４は、雄ねじ４３と螺合する雌ネジが形成された中心孔４６と、その中心孔の先端に形成された拡径した円筒状のチャック受け部４７とを備えている。そして、中心孔４３とチャック受け部４７とによって段部４８が形成されている。
【００３５】
チャック４２は、内部にドリルを支持する円筒状のチャック本体５１と、そのチャック本体の外周に螺合されるナット５２とからなる。
チャック本体５１は、基端部（図５の右端部）に形成されたチャック受け部と係合する軸係合部５３と、先端部（図５の左端部）に形成されたドリル固定部５４と、軸係合部とドリル固定部の間の外周に形成された環状フランジ５５とから構成されている。
ドリル固定部５４は、先端に形成されたテーパー部５６と、そのテーパー部と連続した雄ねじ部５７とからなり、テーパー部５６には、軸方向に延びるスリット５８が六角形状に設けられている。
また、チャック本体５６の内面は、先端から延びるドリルを係止するドリル係止面５９と、そのドリル係止面と連続した雄ねじ４３の頭部４３ａを係止する段部６０とからなっている。
【００３６】
ナット５２は、円筒状のものであり、内面の基端に雄ねじ部５７と螺合する雌ネジ部６２が形成されており、内面の先端にその雌ネジ部６２と連続しており、先端側に向かって縮径するテーパー状の当接面６３が形成されている。この当接面６３の傾斜は、ドリル固定部のテーパー部５６よりも大きく構成されている。
【００３７】
このように構成されたドリル４０は、次のようにして組み立てられる。初めに、雄ねじ４３をチャック本体５１の先端開口部から挿入し、雄ねじの頭部４３ａを段部６０と当接させ、胴部４３ｂをチャック本体の基端開口部から突出させる。この状態で、押ねじの胴部４３ｂをドリルボディ４１の軸４４の中心孔４６に螺合させる。このとき、チャック本体の軸係合部５３と軸のチャック受け部４７とは係合され、軸４４がチャック本体５１を支持する。その後、チャック本体５１の先端にナット５２を被せる。
【００３８】
また、このドリルへの穿刺針の取り付け法は、ナット５２をチャック本体５１の先端に軽く被せた状態で、穿刺針の基端をナットの先端開口部より段部６０と係合するまで挿入する（図６ｂの想像線）。その後、ナット５２の雌ネジ部６２をチャック本体の雄ねじ部５７に螺合させる。このとき、ナットの当接面６３と、チャック本体のテーパー部５６とが当接する。そして、さらにナット５２をチャック本体５１とを強く螺合させる、つまり、ナット５２をチャック本体５１の基端側に押し込むことにより、当接面６３がテーパー部５６を押圧する。これにより、スリット５８の分だけ、テーパー部５６が縮径し、チャック本体の内面であるドリル係止面５９が穿刺針の外周を固定する。
【００３９】
このように構成された医療用ドリル４０は、チャック５１とドリルの軸４４とを雄ねじ４３によって容易に着脱することができる。そのため、ドリルを使用するたびに行う必要があるチャックの洗浄、滅菌（特に、蒸気滅菌（オートクレーブ）、エチレンオキサイドガス（ＥＯＧ）滅菌）が容易にできる。
【００４０】
図７ａに示す防汚カバー７０は、ドリルボディ全体を保護する袋本体７１からなり、チャックを外部に露出させるチャック穴７２がその袋本体の上部に形成されており、医療用ドリルを挿入する挿入口７３が袋本体の下端に設けられている。
袋本体７１は、ポリエチレンやポリプロピレンなどの合成樹脂製の可撓性を有するものである。
チャック穴７２は、図７ｂに示すように、袋本体に形成された孔にシリコーンゴムあるいは硬質プラスチック（例えば、ポリエチレンやポリプロピレンなど）のリング７４が取り付けられている。これにより、袋本体７１の破れを防止すると共に、袋内の密閉性を高めることができる。
挿入口７３には、図７ｃのように紐、テープ７５ａなどで巻きつけたり、図７ｄのように折り曲げてテープ７５ａなどで閉じても良い。
【００４１】
このようにドリル４０を防汚カバー７０で被せるとき、チャック穴４２のリング７４は、ドリルボディの軸のチャック受け部４７の外周に嵌められる。これによりドリルボディ４１を密閉して保護することができる。
【００４２】
このように防汚カバー７０を備えたドリルは、着脱自在で洗浄が容易なチャック以外を密閉して保護することができるため、チャックおよび防汚カバーを洗浄、滅菌するだけで、再使用することができる。
【００４３】
図８ａ、ｂに示す防汚カバー８０は、ドリルボディの本体を収容する第１袋体８１と、ドリルボディの本体に略直交するように設けられた把持部を収容する第２袋体８２とからなる。
第１袋体８１は、巻物状のものであり、対向する辺に第１紐８３が２本ずつ設けられている。
第２袋体８２は、上端が開口した下底を有する円筒状のものであり、上部に第２紐孔８４が設けられている。
【００４４】
この防汚カバー８０のドリルへの取り付け方法は、第１袋体８１をドリルボディを包むようにして巻き、第１紐８３で固定する。このとき、第１袋体８１の一端をドリル固定部を絞るように別途の紐で縛り、多端を閉じるようにして別途の紐８４で縛る。一方、第２袋体８２は、ドリルの把持部を被せるようにして装着し、第２紐８４で第１袋体と連結する。このとき、隙間があかないように注意する。これにより、防汚カバー７０と同様に、着脱自在で洗浄が容易なチャック以外を密閉して保護することができ、チャックおよび防汚カバーを洗浄、滅菌するだけで、再使用することができる。また、防汚カバーは使い捨てとすることができ、常に新しい防汚カバーを使うことにより清潔な環境を提供できる。
【図面の簡単な説明】
【００４５】
【図１】図１ａは、本発明の二重刺針の一実施形態を示す側面図であり、図１ｂは、その外針を示す側面図であり、図１ｃはその内針を示す側面図である。
【図２】図２ａは、図１ａの二重刺針の基端を示す断面側面図であり、図２ｂは、図１ｂの外針の基端を示す断面側面図であり、図２ｃは、図１ｃの内針の基端を示す断面側面図であり、図２ｄ、ｅ、ｆ、ｇは、本発明の二重刺針の保持部の形状を示す正面図である。
【図３】図３ａは、図１ａの二重刺針を電動ドリルに取り付けた状態の一部を示す側面図であり、図３ｂは、図１ｂの外針をシリンジに取り付けた状態の一部を示す側面図である。
【図４】図４ａは、図３ａの状態にアジャスターを取り付けた場合を示す一部断面側面図であり、図４ｂ、ｃ、ｄはそれぞれアジャスターの部品を示す断面図である。
【図５】本発明のドリルの一実施形態を示す側面図である。
【図６】図６ａは、図５のドリル先端部分を示す分解図であり、図６ｂは、図５のドリル先端部分を示す側面断面図である
【図７】図７ａは、本発明のドリルに用いられる防汚カバーの一実施形態を示す側面図であり、図７ｂは、そのチャック穴を示す部分側面図であり、図７ｃ、図７ｄは、防汚カバーを設けた本発明のドリルの他の実施形態を示す側面図である。
【図８】本発明のドリルに用いられる防汚カバーの他の実施形態を示す側面図である。
【符号の説明】
【００４６】
１０  二重刺針
１１  外針
１２  内針
１３  外針の刃先部
１４  外針本体
１５  針基
１６  外針係合部
１７  注入部
１８、１８ａ、１８ｂ、１８ｃ  保持部
１９  雄ネジ
２１  内針の刃先部
２２  内針本体
２３  キャップ
２４  内筒の底部
２５  内筒
２６  外筒
２７  外筒の底部
２８  内針係合部
２９  雄ネジ
３０  羽根
３１  電動ドリル
３２  チャック
３４  シリンジ
３５  シリンジの先端
３６  ピストン
３７  シリンダー
３９  アジャスター
３９ａ  雄部
３９ｂ  雌部
３９ｃ  ロックナット
４０  医療用ドリル
４１  ドリルボディ
４１ａ  ドリルボディの先端
４２  チャック
４３  雄ねじ
４３ａ  頭部
４３ｂ  胴部
４４  軸
４６  中心孔
４７  チャック受け部
４８  段部
５１  チャック本体
５２  ナット
５３  軸係合部
５４  ドリル固定部
５５  環状フランジ
５６  テーパー部
５７  雄ねじ部
５８  スリット
５９  ドリル係止面
６０  段部
６２  ナット
６３  当接面
７０  防汚カバー
７１  袋本体
７２  チャック穴
７３  挿入口
７４  リング
７５ａ  テープ
８０  防汚カバー
８１  第１袋体
８２  第２袋体
８３  第１紐
８４  第２紐
【図１】
2008228861.tif 000003
【図２】
2008228861.tif 000004
【図３】
2008228861.tif 000005
【図４】
2008228861.tif 000006
【図５】
2008228861.tif 000007
【図６】
2008228861.tif 000008
【図７】
2008228861.tif 000009
【図８】
2008228861.tif 000010